(57)【要約】【課題】施工性に優れた樹脂額縁ユニット等を提供する。【解決手段】建物の開口に設けられた窓枠に取り付けられる樹脂額縁ユニットであって、前記窓枠と前記開口との間を室内側から覆う合成樹脂製の額縁本体と、前記窓枠側の部位にねじ止めされ前記額縁本体が嵌合される金属製の取付部材と、を有する。【選択図】図４
2019173427.tif 000002
【特許請求の範囲】
【請求項１】
建物の開口に設けられた窓枠に取り付けられる樹脂額縁ユニットであって、
前記窓枠と前記開口との間を室内側から覆う合成樹脂製の額縁本体と、
前記窓枠側の部位にねじ止めされ前記額縁本体が嵌合される金属製の取付部材と、
を有することを特徴とする樹脂額縁ユニット。
【請求項２】
請求項１に記載の樹脂額縁ユニットであって、
前記額縁本体は、
前記窓枠と前記開口との間を覆うカバー部と、
前記カバー部の室外側に配置されて前記取付部材に嵌合される嵌合部と、
を有し、
前記嵌合部は、前記窓枠が備える枠材の長手方向に沿って配置され、長手方向と交差する交差方向に互いに間隔を空けて前記カバー部の両端部にそれぞれ設けられていることを特徴とする樹脂額縁ユニット。
【請求項３】
請求項２に記載の樹脂額縁ユニットであって、
前記カバー部の両端部に設けられている２つの前記嵌合部は、見込み方向における前記カバー部からの位置が互いに異なることを特徴とする樹脂額縁ユニット。
【請求項４】
請求項２または請求項３に記載の樹脂額縁ユニットであって、
２つの前記嵌合部の間に設けられている前記カバー部は、室外に向く面に、前記交差方向に互いに間隔を空けて前記長手方向に沿う複数の線状薄肉部を有していることを特徴とする樹脂額縁ユニット。
【請求項５】
請求項４に記載の樹脂額縁ユニットであって、
前記線状薄肉部の縁には、当該線状薄肉部に沿って室外側に突出する突片が設けられていることを特徴とする樹脂額縁ユニット。
【請求項６】
請求項１乃至請求項５のいずれかに記載の樹脂額縁ユニットと、
前記窓枠と、を備えたことを特徴とする建具ユニット。
【発明の詳細な説明】
【技術分野】
【０００１】
本発明は、建物の開口に設けられた窓枠に取り付けられる樹脂額縁ユニット及び建具ユニットに関する。
【背景技術】
【０００２】
従来から、建物の開口に設けられた窓枠にアングルを介して取り付けられる合成樹脂製の窓額縁が知られている（例えば、特許文献１参照）。この窓額縁は、見込み方向に沿って配置される板状の見込み片部に、窓枠に設けられたアングルを貫通する皿ねじがねじ込まれて窓枠に取り付けられている。
【先行技術文献】
【特許文献】
【０００３】
【特許文献１】特開２０１７−１３３３４９号公報
【発明の概要】
【発明が解決しようとする課題】
【０００４】
上記従来の窓額縁は、合成樹脂製の板状をなす見込み片部に皿ねじがねじ込まれるので、進入する皿ねじにより見込み片部が押圧されて湾曲してしまい、ねじが締め込みにくくなる虞がある。また、見込み片部が押圧されることにより窓額縁の姿勢が変化し、適切な姿勢を維持した状態で窓額縁を取り付けることが難しい。また、見込み片部は樹脂なので、ねじ込まれる皿ねじによりねじ溝が潰れる虞があり、ねじ溝が潰れた場合には十分な締め付け強度が得られ難い。このように、窓額縁を適切な姿勢で強固に窓枠に取り付けることが難しく、施工性が悪いという課題がある。
本発明は、かかる課題に鑑みてなされたものであり、その目的とするところは、施工性に優れた樹脂額縁ユニット及び建具ユニットを提供することにある。
【課題を解決するための手段】
【０００５】
かかる目的を達成するために本発明の樹脂額縁ユニットは、建物の開口に設けられた窓枠に取り付けられる樹脂額縁ユニットであって、前記窓枠と前記開口との間を室内側から覆う合成樹脂製の額縁本体と、前記窓枠側の部位にねじ止めされ前記額縁本体が嵌合される金属製の取付部材と、を有することを特徴とする樹脂額縁ユニットである。
【０００６】
このような樹脂額縁ユニットによれば、ねじが螺合されて窓枠と接合される取付部材は金属製なので、窓枠に接合する際に進入するねじによる変形及び姿勢の変化は生じ難く、また、ねじをより高い締め付け強度で締め込むことが可能である。このため、取付部材を適切な姿勢で窓枠と強固に接合することが可能である。また、額縁本体は、窓枠にねじ止めされた取付部材に嵌合するだけで、適切な姿勢で容易に取り付けることが可能である。このため、施工性に優れた樹脂額縁ユニットを提供することが可能である。
【０００７】
かかる樹脂額縁ユニットであって、前記額縁本体は、前記窓枠と前記開口との間を覆うカバー部と、前記カバー部の室外側に配置されて前記取付部材に嵌合される嵌合部と、を有し、前記嵌合部は、前記窓枠が備える枠材の長手方向に沿って配置され、長手方向と交差する交差方向に互いに間隔を空けて前記カバー部の両端部にそれぞれ設けられていることを特徴とする。
【０００８】
このような樹脂額縁ユニットによれば、取付部材に嵌合される嵌合部は、窓枠と開口との間を覆うカバー部の両端部に互いに間隔を空けて２つ設けられているので、２つの嵌合部の間に設けられているカバー部を所望の位置にて、長手方向に沿って切断することにより、所望の長さのカバー部を備えた２つの額縁本体とすることが可能である。このとき、嵌合部はカバー部の両端部にそれぞれ設けられているので、２つに分割された額縁本体を、窓枠の周囲における２箇所に各々取り付けて、窓枠と開口との間を室内側から覆うことも可能である。
【０００９】
かかる樹脂額縁ユニットであって、前記カバー部の両端部に設けられている２つの前記嵌合部は、見込み方向における前記カバー部からの位置が互いに異なることを特徴とする。
【００１０】
このような樹脂額縁ユニットによれば、２つの嵌合部は、カバー部からの位置が互いに異なるので、見込み方向におけるカバー部の位置が異なる２種類の納め方にて仕上げることが可能である。
【００１１】
かかる樹脂額縁ユニットであって、２つの前記嵌合部の間に設けられている前記カバー部は、室外に向く面に、前記交差方向に互いに間隔を空けて前記長手方向に沿う複数の線状薄肉部を有していることを特徴とする。
【００１２】
このような樹脂額縁ユニットによれば、嵌合部の間に設けられているカバー部には、長手方向に沿う線状薄肉部が設けられているので、嵌合部の間のカバー部を線状薄肉部に沿って長手方向に容易に切断することが可能である。また、線状薄肉部は、交差方向に互いに間隔を空けて複数設けられているので、いずれかの線状薄肉部にて切断することにより嵌合部から延出されるカバー部の長さを調節することが可能である。このため、汎用性が高い樹脂額縁ユニットを提供することが可能である。
【００１３】
かかる樹脂額縁ユニットであって、前記線状薄肉部の縁には、当該線状薄肉部に沿って室外側に突出する突片が設けられていることを特徴とする。
このような樹脂額縁ユニットによれば、嵌合部の間に設けられているカバー部を線状薄肉部に沿って切断する刃物などを、突片に沿わせて移動することにより、より容易に且つ正確に切断することが可能である。
【００１４】
また、上記樹脂額縁ユニットと、前記窓枠と、を備えたことを特徴とする建具ユニットである。
このような建具ユニットによれば、樹脂額縁ユニットにより、窓枠と建物の開口との間を容易に覆うことが可能な建具ユニットを提供することが可能である。
【発明の効果】
【００１５】
本発明によれば、施工性に優れた樹脂額縁ユニット及び建具ユニットを提供することが可能である。
【図面の簡単な説明】
【００１６】
【図１】本発明の建具ユニットを示す縦断面図である。
【図２】本発明の建具ユニットを示す横断面図である。
【図３】本発明の樹脂額縁ユニットを示す図である。
【図４】第１嵌合部にて嵌合する樹脂額縁ユニットの納まりを示す横断面図である。
【図５】第２嵌合部にて嵌合する樹脂額縁ユニットの納まりを示す横断面図である。
【発明を実施するための形態】
【００１７】
以下、本発明の第一実施形態に係る樹脂額縁ユニット及び樹脂額縁ユニットを備えた建具ユニットについて図面を参照して説明する。
【００１８】
本実施形態においては、図１、図２に示すように、建物１の開口に設けられている既設建具が有する既設枠体１０の内側に取り付けられる新設建具２、及び、新設建具２が有する新設窓枠２０と建物１の開口との間を室内側から覆う樹脂額縁ユニット３、を備えた建具ユニット４を例に挙げて説明する。
【００１９】
以下の説明においては、建物１の外周部に取り付けられている建具ユニット４を屋内側から見たときに、上下となる方向を上下方向、左右となる方向を左右方向、奥行き方向を見込み方向として示す。建具ユニット４の各部位であっても、また、建具ユニット４をなす各部材が単体の状態であっても、取り付けられた状態にて上下方向、左右方向、見込み方向となる方向にて方向を特定して説明する。
【００２０】
既設建具の既設枠体１０は、既設上枠１１、既設下枠１２及び左右の既設縦枠１３が矩形状に枠組みされて構成されている。既設枠体１０は、躯体１ａにより囲まれた建物１の開口１ｂの内周側に設けられている。開口１ｂの屋内側の部位は、全周に亘って設けられた木製の既設額縁５により構成されている。
【００２１】
既設枠体１０は、既設額縁５よりも室外側にて躯体１ａに当接され、室外側に張り出して配置されている。既設上枠１１、既設下枠１２及び左右の既設縦枠１３は、矩形状の既設枠体１０の外周側に突出させて設けられたヒレ状の固定片１１ａ、１２ａ、１３ａを有しており、各固定片１１ａ、１２ａ、１３が躯体１ａに室外側から当接されてビス等により躯体１ａに固定されている。既設枠体１０が取り付けられた躯体１ａの室外側には、外壁材１ｄが設けられており、室内側には、内装材１ｅが設けられている。
【００２２】
新設建具２は、内障子２ａ、外障子２ｂ及び網戸２ｃと、既設枠体１０の内側に配置されるアルミニウム製の押出成形材でなる新設窓枠２０と、を有する引き違い窓用の建具である。新設窓枠２０は、新設上枠２１、新設下枠２２及び左右の新設縦枠２３が矩形状に枠組みされて構成されている。新設上枠２１、新設下枠２２及び左右の新設縦枠２３はいずれも、室内側の端部が、既設枠体１０よりも室内側に位置しており、各々既設額縁５の内周面５ａと対面する室内延出部２１ａ、２２ａ、２３ａを有している。
【００２３】
新設窓枠２０は、各室内延出部２１ａ、２２ａ、２３ａが既設額縁５を貫通し躯体１ａに螺合されるビス６により固定されて取り付けられている。本実施形態においては、既設額縁５の内周面５ａにより、新設窓枠２０が取り付けられる建物１の開口１ｂが形成されている。
【００２４】
新設上枠２１、新設下枠２２及び左右の新設縦枠２３には、各々の室内側の部位に係止されて、室内延出部２１ａ、２２ａ、２３ａの内周側と間隔を空けて当該室内延出部２１ａ、２２ａ、２３ａと対面する対面部７ａを形成するアタッチメント７が設けられている。アタッチメント７が新設上枠２１、新設下枠２２及び左右の新設縦枠２３に係止されると、対面部７ａは、室内延出部２１ａ、２２ａ、２３ａのほぼ全長に亘って対面する。
【００２５】
躯体１ａに取り付けられた新設窓枠２０には、当該開口１ｂをなす既設額縁５の内周面５ａとの間を室内側から覆う樹脂額縁ユニット３が取り付けられている。
【００２６】
図３に示すように、樹脂額縁ユニット３は、新設窓枠２０と既設額縁５との間を室内側から覆う額縁本体３０と、新設窓枠２０に設けられたアタッチメント７にねじ止めされて額縁本体３０が嵌合される取付部材３１と、を有している。額縁本体３０は合成樹脂製の押出成型材であり、取付部材３１はアルミニウム製の押出成形材である。額縁本体３０及び取付部材３１は、新設上枠２１、新設下枠２２及び左右の新設縦枠２３の各々の長手方向に沿って取り付けられる。
【００２７】
取付部材３１は、長手方向に貫通し断面がほぼ矩形状をなす中空部を有する角管状部３１ａと、角管状部３１ａの室内側に間隔を空けて設けられる室内壁部３１ｂと、室内壁部３１ｂにおいて外周側の縁から室内側に延出された外周壁部３１ｃと、室内壁部３１ｂにおいて内周側の縁から室内側に延出された内周壁部３１ｄと、を有している。角管状部３１ａの外周側の壁部３１ｅは室内側に延出されて、外周壁部３１ｃよりも内周側にて室内壁部３１ｂと繋がっている。このため、角管状部３１ａと室内壁部３１ｂとの間には内周側に開放されて上下方向に沿う溝部３１ｆが形成されている。
【００２８】
内周壁部３１ｄは、角管状部３１ａの内周側の壁部３１ｇと同一の平面をなすように形成されている。また、内周壁部３１ｄの室内壁部３１ｂからの延出量は、内側壁部３１ｃの延出量よりも大きく、内周壁部３１ｄ及び外周壁部３１ｃの室内側の縁には、互いに対向する側と反対側に突出させて突起３１ｈが設けられている。
【００２９】
額縁本体３０は、新設窓枠２０と既設額縁５との間を覆う平板状のカバー部３０ａと、カバー部３０ａの室外側に配置されて取付部材３１に嵌合される２つの嵌合部３０ｂ、３０ｃと、を有している。２つの嵌合部３０ｂ、３０ｃは、カバー部３０ａの長手方向に沿って、長手方向と交差する幅方向における両端部に設けられている。両端部に設けられた嵌合部３０ｂ、３０ｃは、一方の嵌合部３０ｂが他方の嵌合部３０ｃよりもカバー部３０ａから離れた位置に設けられている。額縁本体３０の説明においては、新設窓枠２０に取り付けられた状態で、額縁本体３０の見付け幅となる方向を幅方向とし、両端側を外側、中央側を内側として説明する。
【００３０】
一方の端部側に設けられた嵌合部３０ｂは、カバー部３０ａの端部と室外側に間隔を空けて対向するカバー対向部３０ｄに設けられている。カバー対向部３０ｄは、幅方向における両縁から延出されるカバー連結部３０ｅにより繋がっている。
【００３１】
カバー対向部３０ｄに設けられている嵌合部３０ｂは、カバー対向部３０ｄにおいて、幅方向における外側の縁から室外側に突出されて内周壁部３１ｄの突起３１ｈと係合する外側係合片３０ｆと、カバー対向部３０ｄの反対側から室外側に延出されたカバー延出部３０ｇの先端が外周壁部３１ｃの突起３１ｈと係合する内側係合片３０ｈと、を有している。また、カバー対向部３０ｄには、外周壁部３１ｃの突起３１ｈと内側係合片３０ｈとが係合し、内周壁部３１ｄの突起３１ｈと外側係合片３０ｆとが係合したときに、室内壁部３１ｂと対向して取付部材３１と額縁本体３０との見込み方向における相対移動を規制する規制突起３０ｉが室外側に突出させて設けられている。
【００３２】
他方の端部側に設けられた嵌合部３０ｃは、カバー部３０ａに直接設けられており、カバー対向部３０ｄに設けられている嵌合部３０ｂとは、左右が反転した線対称の形状をなしている。以下の説明においては、２つの嵌合部３０ｂ、３０ｃを区別する必要がある場合には、カバー対向部３０ｄに設けられている嵌合部を第１嵌合部３０ｂと、カバー部３０ａに直接設けられている嵌合部を第２嵌合部３０ｃと、称する。図３においては、第２嵌合部３０ｃの、第１嵌合部３０ｂと対応する部位に同一の符号を付して示す。
【００３３】
２つの嵌合部３０ｂ、３０ｃの間に位置するカバー部３０ａには、室外に向く面３０ｊに、幅方向に互いに間隔を空けて長手方向に沿う複数の突片３０ｋが室外側に突出させて設けられている。また、突片３０ｋの基端部の片側の縁には、突片３０ｋに沿ってカバー部３０ａの厚み方向に窪み長手方向に沿う線状薄肉部３０ｌが設けられている。
【００３４】
額縁本体３０を使用する際には、施工現場の新設窓枠２０と既設額縁５と配置に合わせて、２つの嵌合部３０ｂ、３０ｃのうちのいずれか一方を選択し、カバー部３０ａを適宜な線状薄肉部３０ｌにて切断する。額縁本体３０は、切断して２つに分離した額縁本体３０のうちの一方を使用する。
【００３５】
樹脂額縁ユニット３の取付方法を、樹脂額縁ユニット３を右の新設縦枠２３に取り付ける例により説明する。
樹脂額縁ユニット３の取り付けは、まず、既設枠体１０の内周側に新設窓枠２０が取り付けられている状態で、アタッチメント７の対面部７ａの外周側の面に、取付部材３１の角管状部３１ａと室内壁部３１ｂの内周側の面を対向させるとともに角管状部３１ａを室内側から新設窓枠２０に当接させる。
【００３６】
次に、対面部７ａ側からねじ８を進入させ、取付部材３１の溝部３１ｆに螺合させて取付部材３１を固定する。すなわち、取付部材３１はアタッチメント７を介して新設窓枠２０に接合される。取付部材３１は、新設上枠２１、新設下枠２２及び左右の新設縦枠２３に各々取り付ける。
【００３７】
次に、額縁本体３０を取り付ける。本実施形態の建物は、図４に示すように、アタッチメント７に取付部材３１を取り付けたときに、取付部材３１の室内側の先端よりも、新設窓枠２０の室内延出部２３ａの室内側の縁の方が室内側に位置しているため、額縁本体３０に設けられている２つの嵌合部３０ｂ、３０ｃのうちの、第１嵌合部３０ｂが設けられている側の部位を使用する。
【００３８】
額縁本体３０は、取付部材３１に嵌合する前に、アタッチメント７の対面部７ａから既設額縁５の内周面５ａまでの距離に、第１嵌合部３０ｂ側からの幅が合うように、適宜な線状薄肉部３０ｌにてカバー部３０ａを切断しておく。このとき、カバー部３０ａは、カッターなどの刃物の刃を、切断する線状薄肉部３０ｌの縁に設けられている突片３０ｋに沿わせて、刃物を移動して切断する。
【００３９】
次に、切断した額縁本体３０の第１嵌合部３０ｂ側の部材を、取付部材３１に嵌合する。額縁本体３０は、右の新設縦枠２３に各々取り付ける。隣接する右の新設縦枠２３の境界部分には、図示しないコーナーキャップを設けて各々の端部を覆っておく。
最後に、額縁本体３０のカバー部３０ａと既設額縁５との間にコーキングを施して取り付けが完了する。
【００４０】
また、図５に示すように、例えば、和室などのように、躯体１ａとなる柱１ｆが露出されており、柱１ｆが建物１の開口の一部をなすような納まりであったり、アタッチメント７に取付部材３１を取り付けたときに、取付部材３１の室内側の先端よりも、新設窓枠２０の室内延出部２３ａの室内側の縁の方が室外側に位置していたりする場合には、額縁本体３０に設けられている２つの嵌合部３０ｂ、３０ｃのうちの、第２嵌合部３０ｃが設けられている側の部位を使用する。
【００４１】
本実施形態の樹脂額縁ユニット３によれば、ねじ８が螺合されて新設窓枠２０側と接合される取付部材３１はアルミニウム製なので、新設窓枠２０にアタッチメント７を介して接合する際に進入するねじ８による変形及び姿勢の変化は生じ難く、また、ねじ８をより高い締め付け強度で締め込むことが可能である。このため、取付部材３１を適切な姿勢で新設窓枠２０と強固に接合することが可能である。また、額縁本体３０は、新設窓枠２０とアタッチメント７を介して接合された取付部材３１に嵌合するだけで、適切な姿勢で容易に取り付けることが可能である。このため、施工性に優れた樹脂額縁ユニット３を提供することが可能である。
【００４２】
また、取付部材３１に嵌合される嵌合部３０ｂ、３０ｃは、新設窓枠２０と既設額縁５または柱１ｆとの間を覆うカバー部３０ａの両端部に互いに間隔を空けて２つ設けられているので、２つの嵌合部３０ｂ、３０ｃの間に設けられているカバー部３０ａを所望の位置にて、長手方向に沿って切断することにより、所望の長さのカバー部３０ａを備えた２つの額縁本体３０とすることが可能である。このとき、嵌合部３０ｂ、３０ｃはカバー部３０ａの両端部にそれぞれ設けられているので、２つに分割された額縁本体３０を、新設窓枠２０の周囲における２箇所に各々取り付けて、新設窓枠２０と既設額縁５または柱１ｆとの間を室内側から覆うことも可能である。例えば、所望のカバー部３０ａの長さが、切断前のカバー部３０ａの長さの半分以下の場合には、新設窓枠２０の上下または左右の額縁本体３０として使用することが可能である。
【００４３】
また、２つの嵌合部３０ｂ、３０ｃは、カバー部３０ａからの位置が互いに異なるので、新設窓枠２０に対する既設額縁５の見込み方向における位置に合わせて、見込み方向におけるカバー部３０ａの位置が異なる２種類の納め方にて仕上げることが可能である。このため、汎用性に優れている。
【００４４】
また、嵌合部３０ｂ、３０ｃの間に設けられているカバー部３０ａには、長手方向に沿う線状薄肉部３０ｌが設けられているので、嵌合部３０ｂ、３０ｃの間のカバー部３０ａを長手方向に沿って容易に切断することが可能である。このとき、線状薄肉部３０ｌは、幅方向に互いに間隔を空けて複数設けられているので、いずれかの線状薄肉部３０ｌにて切断することにより嵌合部３０ｂ、３０ｃから延出されるカバー部３０ａの長さを調節することが可能である。このため、より汎用性が高い樹脂額縁ユニット３を提供することが可能である。
【００４５】
また、嵌合部３０ｂ、３０ｃの間に設けられているカバー部３０ａを線状薄肉部３０ｌに沿って切断する刃物などを、突片３０ｋに沿わせて移動することにより、より容易に且つ正確に切断することが可能である。
また、上記樹脂額縁ユニット３により、新設窓枠２０と既設額縁５との間を容易に覆うことが可能な建具ユニット４を提供することが可能である。
【００４６】
上記実施形態においては、取付部材３１をアルミニウム製としたが、ねじ８を螺合する際に変形することなく、また、ねじ８を締め込める剛性を備えた金属であれば構わない。
上記実施形態においては、新設建具２を引き違い窓用としたが、これに限るものではなく、窓枠を備える建具であれば構わない。
【００４７】
上記実施形態においては、既設枠体１０が設けられている内周側に新設建具２を取り付ける際に樹脂額縁ユニット３を取り付ける例を挙げて説明したが、建物１の開口１ｂに新たに建具を取り付ける場合に用いても構わない。
【００４８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４９】
１  建物、１ｂ  開口、３  樹脂額縁ユニット、４  建具ユニット、５  既設額縁、
５ａ  既設額縁の内周面、２０  新設窓枠、２１  新設上枠、２２  新設下枠、
２３  新設縦枠、３０  額縁本体、３０ａ  カバー部、３０ｂ  嵌合部（第１嵌合部）、
３０ｃ  嵌合部（第２嵌合部）、３０ｊ  カバー部の室外に向く面、３０ｋ  突片、
３０ｌ  線状薄肉部、３１  取付部材、
【図１】
2019173427.tif 000003
【図２】
2019173427.tif 000004
【図３】
2019173427.tif 000005
【図４】
2019173427.tif 000006
【図５】
2019173427.tif 000007